(57)【特許請求の範囲】
【請求項１】
ローカルネットワーク（ＬＮ）を介した通信デバイス（ＣＤ）から記憶デバイス（ＳＤ）へのパーソナル化されたアクセスのための方法であって、
ローカルネットワーク（ＬＮ）の識別子を取得するステップと、
取得された識別子がローカルネットワークのリスト（Ｌｆ）に含まれている場合、記憶デバイス（ＳＤ）に記憶されたパブリックデータおよびプライベートデータの所定のセットへのアクセスを許可するステップと、
取得された識別子がローカルネットワークの前記リスト（Ｌｆ）に含まれていない場合、プライベートデータの前記所定のセットへのアクセスを拒否するステップと
を備え、ローカルネットワークの識別子が、ローカルネットワークに接続されたデバイスの識別子に関連付けられ、
記憶デバイスが他のローカルネットワークに接続されたとき、前記他のネットワークに接続されたデバイスの検出された識別子が、フレンドリーローカルネットワークの１つのリストに含まれるローカルネットワークの識別子に関連付けられた記憶された識別子に少なくとも部分的に対応する場合、前記他のローカルネットワークの識別子がフレンドリーローカルネットワークのリスト内に設定される、方法。
【請求項２】
記憶デバイスがローカルネットワークに接続されると、ローカルネットワークの識別子が記憶デバイスによって自動的に検出される、請求項１に記載の方法。
【請求項３】
ローカルネットワークの識別子が、ローカルネットワークを管理するエンティティから送信されるメッセージに含まれる、請求項２に記載の方法。
【請求項４】
ローカルネットワークが無線ネットワークであり、ローカルネットワークの前記識別子が、無線ローカルネットワークのホットスポットによってブロードキャストされる無線ローカルネットワークのサービスセット識別子（ＳＳＩＤ）である、請求項３に記載の方法。
【請求項５】
メッセージが記憶デバイスからの要求に応答して送信される、請求項３に記載の方法。
【請求項６】
メッセージが、ローカルネットワークを管理する動的ホスト構成プロトコルサーバから送信され、動的ホスト構成プロトコルサーバの識別子を含む、請求項５に記載の方法。
【請求項７】
ローカルネットワークの識別子が、ローカルネットワークを管理するエンティティのＭＡＣアドレスをさらに含む、請求項３から６のいずれか一項に記載の方法。
【請求項８】
デバイスの前記識別子が、ユニバーサルプラグアンドプレイ（ＵＰｎＰ）プロトコルを介して検出され、ローカルネットワークの識別子に対応付けて記憶される、請求項２に記載の方法。
【請求項９】
プライベートデータの異なる所定のセットが、ローカルネットワークの異なるリスト（Ｌｆ）にそれぞれ関連付けられる、請求項１から８のいずれか一項に記載の方法。
【請求項１０】
他のローカルネットワークの取得された識別子がローカルネットワークの他のリスト（Ｌｆ）に含まれている場合、前記他のローカルネットワークが、記憶デバイス（ＳＤ）に記憶されたパブリックデータおよびプライベートデータの他の所定のセットへのアクセスを許可される、請求項９に記載の方法。
【請求項１１】
ローカルネットワークの識別子がローカルネットワークのいずれのリスト（Ｌｆ）にも含まれていない場合、パブリックデータのみへのアクセスが許可される、請求項１から１０のいずれか一項に記載の方法。
【請求項１２】
ローカルネットワークが記憶デバイスが接続された最初のローカルネットワークである場合、ローカルネットワークを介した記憶デバイスに記憶されたデータへの完全なアクセスを付与するために、ローカルネットワークの識別子がローカルネットワークの１つのリストに自動的に追加される、請求項１から１１のいずれか一項に記載の方法。
【請求項１３】
ローカルネットワーク（ＬＮ）を介した通信デバイス（ＣＤ）から記憶デバイス（ＳＤ）へのパーソナル化されたアクセスのための記憶デバイス（ＳＤ）であって、
ローカルネットワーク（ＬＮ）の識別子を取得し、
取得された識別子がローカルネットワークのリスト（Ｌｆ）に含まれている場合、記憶デバイス（ＳＤ）に記憶されたパブリックデータ、およびプライベートデータの所定のセットへのアクセスを許可し、
取得された識別子がローカルネットワークの前記第１のリスト（Ｌｆ）に含まれていない場合、プライベートデータへのアクセスを拒否する
ように構成され、ローカルネットワークの識別子が、ローカルネットワークに接続されたデバイスの識別子に関連付けられ、
記憶デバイスが他のローカルネットワークに接続されたとき、前記他のネットワークに接続されたデバイスの検出された識別子が、フレンドリーローカルネットワークの１つのリストに含まれるローカルネットワークの識別子に関連付けられた記憶された識別子に少なくとも部分的に対応する場合、前記他のローカルネットワークの識別子がフレンドリーローカルネットワークのリスト内に設定される、記憶デバイス（ＳＤ）。
【請求項１４】
ローカルネットワーク（ＬＮ）を介した通信デバイス（ＣＤ）から記憶デバイス（ＳＤ）へのパーソナル化されたアクセスのための記憶デバイス（ＳＤ）内で実装され得るコンピュータプログラムであって、プログラムが前記記憶デバイス（ＳＤ）内でロードされ実行された場合に、
ローカルネットワーク（ＬＮ）の識別子を取得するステップと、
取得された識別子がローカルネットワークのリスト（Ｌｆ）に含まれている場合、記憶デバイス（ＳＤ）に記憶されたパブリックデータおよびプライベートデータの所定のセットへのアクセスを許可するステップと、
取得された識別子がローカルネットワークの前記リスト（Ｌｆ）に含まれていない場合、プライベートデータへのアクセスを拒否するステップと
を実施する命令を含み、ローカルネットワークの識別子が、ローカルネットワークに接続されたデバイスの識別子に関連付けられ、
記憶デバイスが他のローカルネットワークに接続されたとき、前記他のネットワークに接続されたデバイスの検出された識別子が、フレンドリーローカルネットワークの１つのリストに含まれるローカルネットワークの識別子に関連付けられた記憶された識別子に少なくとも部分的に対応する場合、前記他のローカルネットワークの識別子がフレンドリーローカルネットワークのリスト内に設定される、コンピュータプログラム。
【発明の詳細な説明】
【技術分野】
【０００１】
本発明は、記憶デバイスに記憶されたデータにアクセスするための、ネットワークを介した記憶デバイスへのアクセスの管理に関する。
【背景技術】
【０００２】
ハードディスクタイプのポータブル記憶デバイスはユーザによる定義に従い、他のユーザと共有されることがある。たとえば、ユーザは、普段はホームローカルエリアネットワーク（ＬＡＮ）につながれている記憶デバイスを持って移動することがあり、友人のホームネットワークの１つにつないで写真を見せたいことがある。しかしながら、訪問ユーザは、記憶デバイス上の他の全てのデータをチェックし、場合によっては、友人のネットワークにつなぐ前に、重要なものを削除する必要がある。
【０００３】
現在、ユーザが記憶デバイスをローカルネットワークに接続するときに、記憶デバイスに記憶されたものを気にする必要がないように、記憶デバイスディスクを自動チェックする解決策は存在しない。
【発明の概要】
【課題を解決するための手段】
【０００４】
この概要は、本発明の主題に関する概念を紹介するために提供される。この概要は、特許請求された主題の本質的な特徴を特定することを意図するものではなく、特許請求された主題の範囲を決定または限定する際に使用することを意図するものでもない。
【０００５】
一実施形態によれば、ローカルネットワークを介した通信デバイスから記憶デバイスへのパーソナル化されたアクセスのための方法であって：
ローカルネットワークの識別子を取得するステップと、
取得された識別子がローカルネットワークのリストに含まれている場合、記憶デバイスに記憶されたパブリックデータおよびプライベートデータのセットへのアクセスを許可するステップと、
取得された識別子がローカルネットワークの前記リストに含まれていない場合、プライベートデータの前記セットへのアクセスを拒否するステップと
を備える、方法が提供される。
【０００６】
有利なことに、記憶デバイスがユーザのローカルネットワーク（または任意の「フレンドリー」ネットワーク）に接続された場合、ユーザは記憶デバイスの全てのコンテンツを見ることができるが、記憶デバイスが「フォーリン（ｆｏｒｅｉｇｎ）」ネットワークに接続された場合、コンテンツのパブリック部分のみにアクセスすることができる。記憶デバイス内のプライベートまたはパブリックデータへの自動アクセスは、いかなる状況においても記憶デバイスの使用および共有を促進する。
【０００７】
この解決策は、全てのポータブル記憶デバイスのパーソナル化機能を向上して、使いやすくし、共有しやすくする。
【０００８】
一実施形態では、記憶デバイスがローカルネットワークに接続されると、ローカルネットワークの識別子が記憶デバイスによって自動的に検出される。
【０００９】
一実施形態では、ローカルネットワークの識別子が、ローカルネットワークを管理するエンティティから送信されるメッセージに含まれる。
【００１０】
一実施形態では、ローカルネットワークが無線ネットワークであり、ローカルネットワークの前記識別子が、無線ローカルネットワークのホットスポットによってブロードキャストされる無線ローカルネットワークのサービスセット識別子（ＳＳＩＤ）である。
【００１１】
一実施形態では、メッセージが記憶デバイスからの要求に応答して送信される。
【００１２】
一実施形態では、メッセージが、ローカルネットワークを管理する動的ホスト構成プロトコルサーバから送信され、動的ホスト構成プロトコルサーバの識別子を含む。
【００１３】
一実施形態では、ローカルネットワークの識別子が、ローカルネットワークを管理するエンティティのＭＡＣアドレスをさらに含む。
【００１４】
一実施形態では、ローカルネットワークの識別子が、ローカルネットワークに接続されたデバイスの識別子に関連付けられ、デバイスの前記識別子が、ユニバーサルプラグアンドプレイ（ＵＰｎＰ）プロトコルメッセージ内で検出され、ローカルネットワークの識別子に対応付けて記憶される。
【００１５】
一実施形態では、記憶デバイスが他のローカルネットワークに接続されたとき、前記他のネットワークに接続されたデバイスの検出された識別子が、フレンドリーローカルネットワークの１つのリストに含まれるローカルネットワークの識別子に関連付けられた記憶された識別子に少なくとも部分的に対応する場合、前記他のローカルネットワークの識別子がフレンドリーローカルネットワークのリスト内に設定される。
【００１６】
一実施形態では、プライベートデータの異なるセットが、ローカルネットワークの異なるリストにそれぞれ関連付けられる。
【００１７】
一実施形態では、他のローカルネットワークの取得された識別子がローカルネットワークの他のリストに含まれている場合、前記他のローカルネットワークが、記憶デバイスに記憶されたパブリックデータおよびプライベートデータの他のセットへのアクセスを許可される。
【００１８】
一実施形態では、ローカルネットワークの識別子がローカルネットワークのいずれのリストにも含まれていない場合、パブリックデータのみへのアクセスが許可される。
【００１９】
本発明は、ローカルネットワークを介した通信デバイスから記憶デバイスへのパーソナル化されたアクセスのための記憶デバイスであって：
ローカルネットワークの識別子を取得し、
取得された識別子がローカルネットワークのリストに含まれている場合、記憶デバイスに記憶されたパブリックデータおよびプライベートデータのセットへのアクセスを許可し、
取得された識別子がローカルネットワークの前記第１のリストに含まれていない場合、プライベートデータへのアクセスを拒否する
ように構成される、記憶デバイスのためのデバイスにさらに関する。
【００２０】
本発明は、デバイス内で実装され得るコンピュータプログラムであって、前記プログラムが前記デバイス内で実行された場合に、本発明の方法によるステップを実施する命令を含む、コンピュータプログラムにさらに関する。
【００２１】
本発明およびその利点は、添付の図面を参照する以下の説明を検討すると、より良く理解されるであろう。
【図面の簡単な説明】
【００２２】
【図１】ネットワークを介した記憶デバイスへのパーソナル化されたアクセスのための、本発明の一実施形態による通信システムの概略ブロック図である。
【図２】本発明の一実施形態によるネットワークを介した記憶デバイスへのパーソナル化されたアクセスのための方法のアルゴリズムの図である。
【発明を実施するための形態】
【００２３】
図１を参照すると、本発明による通信システムは、記憶デバイスＳＤと、通信デバイスＣＤとを備える。
【００２４】
通信デバイスＣＤは、記憶デバイスに記憶されたコンテンツにアクセスするために、有線または無線接続によってローカルネットワークＬＮを介して記憶デバイスＳＤに接続することができる。
【００２５】
通信デバイスＣＤは、たとえば、パーソナルコンピュータもしくはラップトップ、タブレット、スマートフォン、パーソナルデジタルアシスタント、セットトップボックス、住居用ゲートウェイ、ゲームコンソールまたはコネクテッドテレビとすることができる。より一般的には、記憶デバイスＳＤとの接続を確立してメッセージなどのデータを記憶デバイスと交換することが可能な通信モジュールを備える任意のタイプの電子機器に関する。
【００２６】
記憶デバイスＳＤは、異なる種類のファイルを記憶し、プライベートデータとパブリックデータとを区別することができる。この目的のために、記憶デバイスＳＤは、内部サブフォルダを有し得る２つの別個のフォルダを、情報のタイプごとに１つずつ使用することができる。他の実施形態では、パブリックまたはプライベートの部分をファイルシステムの特徴（たとえば、Ｅｘｔ３）によって定義することができる。
【００２７】
記憶デバイスＳＤはまた、データがパブリック用途またはプライベート用途のいずれであるかをユーザに尋ね、ユーザによって与えられた情報を記憶されたデータのメタデータに保持することができる。
【００２８】
記憶デバイスＳＤは、未知であるかまたはパブリックコンピュータのようにフレンドリーでないと宣言された通信デバイスに接続された場合、プライベートデータを異なる方法で表示することができる。プライベートデータは隠されるか、または暗号化されたファイルもしくはフォルダとして表示され得、正しいクレデンシャルを用いてアクセスされ得る。
【００２９】
記憶デバイスＳＤは異なる性質のものとすることができる。
【００３０】
記憶デバイスＳＤおよび通信デバイスＣＤは、有線または無線接続によってローカルネットワークを介して接続されると仮定される。
【００３１】
一実施形態では、記憶デバイスＳＤは、Ｗｉｆｉなどの無線リンクを介して、またはイーサネット（登録商標）などの有線リンクを介してローカルネットワークに接続される。
【００３２】
一例では、記憶デバイスＳＤは、ローカルエリアネットワークに接続されるハードドライブである。
【００３３】
他の例では、記憶デバイスＳＤは、パーソナルコンピュータ、ラップトップ、タブレットまたはスマートフォンである。
【００３４】
他の例では、記憶デバイスＳＤは、接続されたオブジェクト、たとえば、広告板、テレビセット、家電製品、通信端末、冷蔵庫、カメラなどである。接続されたオブジェクトは、接続されたオブジェクトに直接組み込まれ得るデータ処理ユニットの一部であるネットワークインターフェースを備える。
【００３５】
一実施形態では、記憶デバイスＳＤは、記憶デバイスが接続されたローカルネットワークの識別子ＩｄＬＮを決定するアプリケーションを実装する。
【００３６】
一実施形態では、ローカルネットワークの識別子ＩｄＬＮは、無線ローカルネットワークのサービスセット識別子ＳＳＩＤである。さらに、ＳＳＩＤは一意ではないので、ローカルネットワークの識別子ＩｄＬＮは、無線ローカルネットワークホットスポットのＭＡＣ（メディアアクセス制御）アドレスを含むことができる。識別子ＳＳＩＤは、ホットスポットによってブロードキャストされるため、容易に取得することができる。
【００３７】
他の実施形態では、ローカルネットワークの識別子ＩｄＬＮは、動的ホスト構成プロトコル（ＤＨＣＰ）サーバの識別子である。記憶デバイスがイーサネットまたはＷｉＦｉを介してローカルネットワークに接続されている場合、記憶デバイスは、ローカルネットワークにつないだときにＩＰアドレスを記憶デバイスに提供したＤＨＣＰサーバを検出することができる。ＤＨＣＰサーバと交換されるメッセージは、記憶デバイスが接続されているローカルネットワークを明確に識別することを可能にする一意のＤＨＣＰサーバ識別子を有するフィールドを含むことができる。
【００３８】
他の実施形態では、アプリケーションがローカルネットワークに接続されたデバイスを検出し、これらの検出されたデバイスから識別データを取得した後に、識別子ＩｄＬＮがアプリケーションによって設定される。たとえば、アプリケーションは、ユニバーサルプラグアンドプレイ（ＵＰｎＰ）プロトコルを使用して、デバイスの識別子、たとえばデバイスのＭＡＣアドレス、またはそれらのシリアル番号などを取得する。初めて記憶デバイスがローカルネットワークに接続されたとき、ローカルネットワークの識別子は、フレンドリーローカルネットワークのリストに加えられ、ローカルネットワークに接続されたデバイスの識別子に関連付けられる。このように、ローカルネットワークの識別子は、ローカルネットワークに接続されたデバイスの識別子に対応付けて記憶される。
【００３９】
一般に、記憶デバイスが所与のローカルネットワークに再び接続されると、アプリケーションは、前記所与のローカルネットワークに接続されたデバイスの識別子を取得し、取得された識別子を、フレンドリーローカルネットワークのリストに含まれるローカルネットワークの識別子に関連付けられた記憶された識別子と比較する。取得された識別子が、フレンドリーローカルネットワークのリストに含まれるローカルネットワークの識別子に関連付けられた記憶された識別子と少なくとも部分的に一致する場合、アプリケーションは、所与のローカルネットワークの識別子ＩｄＬＮを定義し、フレンドリーローカルネットワークのリストに加える。特定の例では、ローカルネットワークが「フレンドリー」であると考えるためには、取得された識別子の少なくとも半分が、フレンドリーローカルネットワークのリストに含まれるローカルネットワークの識別子に関連付けられた記憶された識別子に対応しなければならない。たとえば、識別子ＩｄＬＮは、アプリケーションによって自動的に定義されるかまたはユーザによって入力されたローカルネットワークの名前である。
【００４０】
ローカルネットワークの識別子ＩｄＬＮが既知でありフレンドリーであると宣言されている場合、記憶デバイス内の全てのパブリックおよびプライベートデータは、通信デバイスからローカルネットワークを介してアクセスすることができる。
【００４１】
ローカルネットワークの識別子ＩｄＬＮが未知であるかまたはフレンドリーでないと宣言されている場合、記憶デバイス内のパブリックデータのみが、ローカルネットワークに接続された通信デバイスからアクセスすることができる。
【００４２】
アプリケーションは、記憶デバイスに記憶されたデータが、プライベートおよびパブリックデータの両方ともアクセス可能であるフレンドリーローカルネットワークの少なくとも１つのリストＬｆを管理する。記憶デバイスがフレンドリー通信デバイスに接続された場合、リストはユーザによって手動で、専用の管理インターフェースを介して、クレデンシャルを要求するかまたはクレデンシャルなしで、修正することができる。ローカルネットワークは、その識別子がフレンドリーローカルネットワークのリストＬｆに含まれている場合、フレンドリーであるとみなされる。
【００４３】
アプリケーションは、フレンドリーローカルネットワークのいくつかのリストを管理することができ、各リストはパブリックデータおよびプライベートデータのセットへのアクセスを許可する。したがって、プライベートデータの異なるセットが、ローカルネットワークの異なるリストにそれぞれ関連付けられる。一実施形態では、ローカルネットワークの識別子を２つ以上のリストに含めることはできない。一実施形態では、全てのパブリックおよびプライベートデータへのアクセスを許可するローカルネットワークの１つのリストが存在する。リストとプライベートデータのセットとの関連付けは、最初にアプリケーションの開発者によって行うことができ、またはユーザによって専用の管理インターフェースを介して修正することができる。
【００４４】
初めて記憶デバイスがローカルネットワークに接続されたとき、ローカルネットワークの識別子がアプリケーションによって学習される。記憶デバイスに記憶されたデータへの完全なアクセスを付与するために、識別子がフレンドリーローカルネットワークのリストに加えられる。デフォルトでは、記憶デバイスの最初の使用はフレンドリーローカルネットワークで行われると仮定される。記憶デバイス内のアプリケーションは、フレンドリーローカルネットワークのリストに新たな識別子を追加することを許可する。デフォルトでは、他のローカルネットワークは、初めて記憶デバイスが接続されたとき、フレンドリーでないとみなされると仮定される。
【００４５】
一例では、識別子ＩｄＬＮは、ユーザのホームネットワークなどのフレンドリーローカルネットワークを介してのみ、ユーザにパスワードを要求するかまたは要求せずに、所与のプロファイルに関連付けることができる。
【００４６】
他の例では、識別子ＩｄＬＮは、任意の通信デバイスを介してユーザにパスワードを要求して、所与のプロファイルに関連付けることができる。
【００４７】
識別子ＩｄＬＮが無線ローカルネットワークのサービスセット識別子ＳＳＩＤである一実施形態では、新たな識別子ＩｄＬＮが検出された場合、アプリケーションは、新たな検出された識別子ＩｄＬＮに対応するローカルネットワークが、フレンドリーローカルネットワークのリストに追加されるべきであるかを、ユーザにパスワードを要求してユーザに尋ねる。記憶デバイスがフレンドリーでないローカルネットワークに接続されるたびに、ローカルネットワークがフレンドリーであるか否かをユーザに宣言させないように、フレンドリーでないローカルネットワークのリストを記憶デバイスに記憶することもできる。したがって、新たな識別子ＩｄＬＮが検出された全く初めてときにのみ、ローカルネットワークをフレンドリーデバイスとして選択する質問が提起される。フレンドリーでないと最初に分類されたローカルネットワークがフレンドリーとして再分類される必要がある場合、ローカルネットワークの識別子ＩｄＬＮをフレンドリーローカルネットワークのリストに手動で追加することによって修正を行うことができる。アプリケーションがローカルネットワークのいくつかのリストを管理している場合、ローカルネットワークの識別子が加えられるべきリストをユーザに尋ねることができる。
【００４８】
図２を参照すると、本発明の一実施形態によるローカルネットワークを介した記憶デバイスへのパーソナル化されたアクセスのための方法は、通信システム内で実行されるステップＳ１からＳ３を含む。
【００４９】
ステップＳ１において、記憶デバイスＳＤは、ローカルネットワークＬＮに接続される。記憶デバイスは所与のユーザによって所有されていることが仮定されており、ローカルネットワークは、そのユーザによって所有されてもされなくてもよい。
【００５０】
ステップＳ２において、記憶デバイス内のアプリケーションは、ローカルネットワークの識別子ＩｄＬＮを取得する。一実施形態では、識別子は一意であり、ローカルネットワークを一意に識別する。たとえば、識別子は、無線ローカルネットワークのサービスセット識別子ＳＳＩＤである。
【００５１】
識別子ＩｄＬＮは、記憶デバイスがローカルネットワークに接続されると、識別子の自動検出によってアプリケーションにより自動的に取得される。識別子は、場合により記憶デバイスからの要求に応答して、ローカルネットワークを管理するエンティティから送信されたメッセージに含まれる。たとえば、前記エンティティは無線ホットスポットまたはＤＨＣＰサーバである。
【００５２】
一実施形態では、ローカルネットワークの識別子は、ローカルネットワークを管理するエンティティのＭＡＣアドレスをさらに含む。
【００５３】
代替的には、識別子は、ローカルネットワークに接続された他のデバイスから送信された、これらのマシンを識別可能にするメッセージから、たとえばユニバーサルプラグアンドプレイ（ＵＰｎＰ）プロトコルメッセージを介して推定される。
【００５４】
ステップＳ３において、記憶デバイス内のアプリケーションは、ローカルネットワークの識別子がフレンドリーローカルネットワークのリストＬｆに含まれている場合、パブリックデータおよびプライベートデータのセットへのアクセスを許可し、ローカルネットワークの識別子がフレンドリーローカルネットワークのリストＬｆに含まれていない場合、プライベートデータへのアクセスを拒否する。
【００５５】
一実施形態では、プライベートデータの異なるセットは、ローカルネットワークの異なるリストＬｆにそれぞれ関連付けられる。一例では、ローカルネットワークのリストＬｆは、ローカルネットワークの他のリストと共通の識別子を有さない。より一般的には、リストとプライベートデータのセットとの関連付けは、アプリケーションの開発者によって最初に行うことができ、ユーザによって専用の管理インターフェースを介して修正することができる。
【００５６】
記憶デバイスが他のローカルネットワークに接続されたとき、前記他のローカルネットワークの取得された識別子がローカルネットワークの他のリストＬｆに含まれている場合、パブリックデータおよびプライベートデータの他のセットへのアクセスが許可される。
【００５７】
一例では、データの異なるセットに関連付けられた２つのリストと、アリス、ボブおよびサムによって所有される３つのホームローカルネットワークとが存在する。アリスのローカルネットワークの識別子はリスト番号１に含まれ、このローカルネットワークを介してパブリックデータＡ、パブリックデータＢ、プライベートデータＣおよびプライベートデータＤへのアクセスが許可される。ボブのローカルネットワークの識別子はリスト番号２に含まれ、パブリックデータＡ、パブリックデータＢ、プライベートデータＤおよびプライベートデータＥへのアクセスが許可される。サムのローカルネットワークの識別子はいずれのリストにも含まれておらず、パブリックデータＡおよびパブリックデータＢへのアクセスのみが許可される。
【００５８】
本明細書に記載の発明は、ローカルネットワークを介した記憶デバイスへのパーソナル化されたアクセスのための方法およびデバイスに関する。本発明の一実装によれば、本発明のステップは、記憶デバイスＳＤなどのデバイスに組み込まれたコンピュータプログラムの命令によって決定される。プログラムは、前記プログラムがデバイス内でロードされ実行された場合に、本発明の方法のステップを実施するプログラム命令を含む。
【００５９】
結果的に、本発明は、本発明を実施するのに適したコンピュータプログラム、特に情報媒体上または内部のコンピュータプログラムにも適用される。このプログラムは、任意のプログラミング言語を使用することができ、ソースコード、オブジェクトコード、またはソースコードおよびオブジェクトコードの中間コード、たとえば部分的にコンパイルされた形式のもの、もしくは本発明の方法を実施するのに望ましい任意の他の形式のものとすることができる。
【図１】
0006545820.tif 000002
【図２】
0006545820.tif 000003